(57)【要約】【課題】清掃用ブラシの収納が行いやすく、使い勝手の良い清掃用ブラシ収納容器及び当該清掃用ブラシ収納容器に清掃用ブラシが収納された清掃用ブラシセットを提供する。【解決手段】清掃用ブラシ収納容器は、清掃用ブラシを収納する有底筒形状の容器本体を備える。当該清掃用ブラシ収納容器の容器本体は、ショアＡ硬度５０度以上９０度以下の軟質の材料製であることを特徴とする。【選択図】図３
2019010177.tif 000002
【特許請求の範囲】
【請求項１】
清掃用ブラシを収納する有底筒形状の容器本体を備える清掃用ブラシ収納容器において、
前記容器本体は、ショアＡ硬度５０度以上９０度以下の軟質の材料製である
ことを特徴とする清掃用ブラシ収納容器。
【請求項２】
前記容器本体は、可塑剤が添加された熱可塑性樹脂製である
ことを特徴とする請求項１に記載の清掃用ブラシ収納容器。
【請求項３】
前記容器本体の開口側端部には、軸長方向に延びたガイド片が設けてある
ことを特徴とする請求項１又は請求項２に記載の清掃用ブラシ収納容器。
【請求項４】
前記容器本体の開口近傍の内側に篏合された保形リングを備え、
該保形リングは、前記容器本体よりも硬質の材料製である
ことを特徴とする請求項１から請求項３のいずれか一つに記載の清掃用ブラシ収納容器。
【請求項５】
前記保形リングの外周面には、前記容器本体の内周面との間に隙間を形成するための切り欠き部が設けてある
ことを特徴とする請求項４に記載の清掃用ブラシ収納容器。
【請求項６】
前記容器本体の開口側端部には、軸長方向に延びたガイド片が設けてあり、
前記切り欠き部は、前記ガイド片に対応した位置に設けてある
ことを特徴とする請求項５に記載の清掃用ブラシ収納容器。
【請求項７】
前記容器本体の径方向の軸周りに、回動自在となる帯状の把手を備え、
前記把手の両端部は、前記容器本体の開口近傍に枢支されている
ことを特徴とする請求項１から請求項６のいずれか一つに記載の清掃用ブラシ収納容器。
【請求項８】
請求項１から請求項７のいずれか一つに記載の清掃用ブラシ収納容器と、
前記容器本体の開口側に先端を向けて収納された棒状の清掃用ブラシと
を備えることを特徴とする清掃用ブラシセット。
【請求項９】
前記清掃用ブラシ収納容器は、前記容器本体の開口近傍の内側に篏合された保形リングを備え、
前記清掃用ブラシは、柄及び該柄の先端に設けられたブラシ体を備え、
前記柄には、フランジが周設してあり、
該フランジが前記保形リングに支持されることによって、前記ブラシ体が前記容器本体の底から離間するように、前記フランジの位置が設定してある
ことを特徴とする請求項８に記載の清掃用ブラシセット。
【請求項１０】
前記ブラシ体の毛は、ポリ塩化ビニリデン系繊維によって形成してある
ことを特徴とする請求項８又は請求項９に記載の清掃用ブラシセット。
【発明の詳細な説明】
【技術分野】
【０００１】
本発明は、例えばトイレの便器を清掃するために用いられる清掃用ブラシを収納する清掃用ブラシ収納容器及び当該清掃用ブラシ収納容器に清掃用ブラシが収納された清掃用ブラシセットに関する。
【背景技術】
【０００２】
トイレの便器を清掃するために用いられる清掃用ブラシは、棒状の柄と、柄の先端に設けられたブラシ体とを備えている。清掃用ブラシは、筒状をなす清掃用ブラシ収納容器の開口にブラシ体を向けて、清掃用ブラシ収納容器の内部に差し込まれ、清掃用ブラシ収納容器に収納されトイレスペースの一角等に載置される。
清掃用ブラシの使用者は、清掃用ブラシ収納容器から、清掃用ブラシを取り出して便器を清掃する。そして、清掃の終了後、使用者は、清掃用ブラシを清掃用ブラシ収納容器に収納する。
【０００３】
特許文献１には、清掃用ブラシ（トイレ用ブラシ）及び清掃用ブラシ収納容器（トイレ用ブラシ容器）を備えた清掃用ブラシセットが開示されている。
【先行技術文献】
【特許文献】
【０００４】
【特許文献１】特開２００９−１７８４８８号公報
【発明の概要】
【発明が解決しようとする課題】
【０００５】
特許文献１に記載の清掃用ブラシ収納容器は、基台部から上方に延びて開口する有底筒状の容器本体を備えている。また、当該清掃用ブラシ収納容器は、合成樹脂材を素材として成形されている。そして、清掃用ブラシは、容器本体の開口から差し込まれ、清掃用ブラシ収納容器に収納される。
【０００６】
上述のとおり、使用者が、清掃後に清掃用ブラシを清掃用ブラシ収納容器に収納する際、清掃用ブラシに付着した水滴が、トイレスペースの床面に垂れないように、使用者は、清掃用ブラシの収納を便器の内側で行う。この際、清掃用ブラシ収納容器の開口が、便器の内側に位置するように、使用者は、清掃用ブラシ収納容器の把手等を持って、清掃用ブラシ収納容器の外周面を便器に接触させ、清掃用ブラシ収納容器を便器の内側に傾ける。
【０００７】
しかしながら、一般的な清掃用ブラシ収納容器は、硬質の合成樹脂製であるため、収納ケース本体の外周面は固く、外周面の静摩擦係数が低いため、清掃用ブラシ収納容器の外周面を便器に接触させると滑りやすく、清掃用ブラシ収納容器の姿勢を安定させることが困難である。
【０００８】
本発明は斯かる事情に鑑みてなされたものであり、清掃用ブラシの収納が行いやすく、使い勝手の良い清掃用ブラシ収納容器及び当該清掃用ブラシ収納容器に清掃用ブラシが収納された清掃用ブラシセットを提供することを目的とする。
【課題を解決するための手段】
【０００９】
本開示の一実施形態に係る清掃用ブラシ収納容器は、清掃用ブラシを収納する有底筒形状の容器本体を備える清掃用ブラシ収納容器において、前記容器本体は、ショアＡ硬度５０度以上９０度以下の軟質の材料製であることを特徴とする。
【００１０】
本開示の一実施形態においては、容器本体は、ショアＡ硬度５０度以上９０度以下の軟質の材料製であるため、容器本体を便器の縁に接触させ傾斜した姿勢とする場合、滑りづらく、清掃用ブラシ収納容器の姿勢を安定させることができる。従って、使用者による清掃用ブラシの収納を行いやすくすることができる。
【００１１】
また、前記容器本体は、可塑剤が添加された熱可塑性樹脂製であることを特徴とする。
【００１２】
本開示の一実施形態においては、容器本体は、可塑剤が添加された熱可塑性樹脂製であるため、成形性が良い。また、可塑剤の添加量に応じて、所望の硬度を実現することができる。
【００１３】
また、前記容器本体の開口側端部には、軸長方向に延びたガイド片が設けてあることを特徴とする。
【００１４】
本開示の一実施形態においては、ガイド片によって、清掃用ブラシを容器本体の開口に案内することができ、使用者による清掃用ブラシの収納を行いやすくすることができる。
【００１５】
また、前記容器本体の開口近傍の内側に篏合された保形リングを備え、該保形リングは、前記容器本体よりも硬質の材料製であることを特徴とする。
【００１６】
本開示の一実施形態においては、容器本体よりも硬質の材料製の保形リングが、容器本体の開口近傍の内側に篏合してあるため、容器本体の有底筒形状を保形することができる。従って、使用者による清掃用ブラシの収納を行いやすくすることができる。
【００１７】
また、前記保形リングの外周面には、前記容器本体の内周面との間に隙間を形成するための切り欠き部が設けてあることを特徴とする。
【００１８】
本開示の一実施形態においては、水が容器本体に溜まっても、容器本体を傾けることによって、切り欠き部と容器本体の内周面との間に形成された隙間を通過させて、容易に排水することができる。
【００１９】
また、前記容器本体の開口側端部には、軸長方向に延びたガイド片が設けてあり、前記切り欠き部は、前記ガイド片に対応した位置に設けてあることを特徴とする。
【００２０】
本開示の一実施形態においては、切り欠き部は、ガイド片に対応した位置に設けてあるので、切り欠き部と容器本体の内周面との間に形成された隙間を通過した水は、ガイド片上に導水され、ガイド片から排水することができる。使用者による容器本体に溜まった水の排水を行いやすくすることができる。
【００２１】
また、前記容器本体の径方向の軸周りに、回動自在となる帯状の把手を備え、前記把手の両端部は、前記容器本体の開口近傍に枢支されていることを特徴とする。
【００２２】
本開示の一実施形態においては、使用者が把手を持った状態において、容器本体を傾斜又は回動させることができ、使用者の使い勝手を向上させることができる。
【００２３】
本開示の一実施形態に係る清掃用ブラシセットは、本開示の一実施形態に記載の清掃用ブラシ収納容器と、前記容器本体の開口側に先端を向けて収納された棒状の清掃用ブラシとを備えることを特徴とする。
【００２４】
本開示の一実施形態においては、容器本体の外周面を便器に接触させた場合、滑りづらく、清掃用ブラシ収納容器の姿勢を安定させることができ、使用者による清掃用ブラシの収納が行いやすい清掃用ブラシセットを提供することができる。
【００２５】
また、前記清掃用ブラシ収納容器は、前記容器本体の開口近傍の内側に篏合された保形リングを備え、前記清掃用ブラシは、柄及び該柄の先端に設けられたブラシ体を備え、前記柄には、フランジが周設してあり、該フランジが前記保形リングに支持されることによって、前記ブラシ体が前記容器本体の底から離間するように、前記フランジの位置が設定してあることを特徴とする。
【００２６】
本開示の一実施形態においては、清掃用ブラシは、ブラシ本体を容器本体の底から離間して収納されるので、ブラシ本体を衛生的に維持することができる。
【００２７】
また、前記ブラシ体の毛は、ポリ塩化ビニリデン系繊維によって形成してあることを特徴とする。
【００２８】
本開示の一実施形態においては、ブラシ体の毛は、ポリ塩化ビニリデン系繊維によって形成しているため、水切れが良く、清掃用ブラシで擦ることによってトイレ等の被清掃体が傷つくことを抑制することができる。
【発明の効果】
【００２９】
本開示の一実施形態によれば、清掃用ブラシの収納が行いやすく、使い勝手の良い清掃用ブラシ収納容器及び当該清掃用ブラシ収納容器に清掃用ブラシが収納された清掃用ブラシセットを提供することができる。
【図面の簡単な説明】
【００３０】
【図１】実施の形態１に係る清掃用ブラシセットの斜視図である。
【図２】実施の形態１に係る清掃用ブラシセットの斜視図である。
【図３】実施の形態１に係る清掃用ブラシセットの側断面図である。
【図４】実施の形態１に係る清掃用ブラシ収納容器の斜視図である。
【図５】実施の形態１に係る清掃用ブラシ収納容器の側断面図である。
【図６】保形リングの平面図である。
【図７】図６のＶＩＩ−ＶＩＩ線による側面図である。
【図８】保形リングの斜視図である。
【図９】清掃用ブラシを清掃用ブラシ収納容器に収納する場合の説明図である。
【図１０】清掃用ブラシ収納容器の正面図である。
【図１１】清掃用ブラシ収納容器の背面図である。
【図１２】清掃用ブラシ収納容器の平面図である。
【図１３】清掃用ブラシ収納容器の底面図である。
【図１４】清掃用ブラシ収納容器の右側面図である。
【図１５】清掃用ブラシ収納容器の左側面図である。
【図１６】清掃用ブラシ収納容器の図１２のＡ−Ａ’端面図である。
【図１７】清掃用ブラシ収納容器の図１２のＢ−Ｂ’端面図である。
【発明を実施するための形態】
【００３１】
（実施形態１）
以下、実施の形態について図面に基づいて説明する。図１は、実施の形態１に係る清掃用ブラシセットの斜視図であり、清掃用ブラシを清掃用ブラシ収納容器から取り出した状態を示している。図２は、実施の形態１に係る清掃用ブラシセットの斜視図であり、清掃用ブラシを清掃用ブラシ収納容器に収納した状態を示している。図３は、実施の形態１に係る清掃用ブラシセットの側断面図である。図４は、実施の形態１に係る清掃用ブラシ収納容器の斜視図である。図５は、実施の形態１に係る清掃用ブラシ収納容器の側断面図である。
【００３２】
清掃用ブラシセット１は、清掃用ブラシ２及び清掃用ブラシ２を収納するための清掃用ブラシ収納容器３を備える。清掃用ブラシ収納容器３は、有底円筒状の容器本体３１と、容器本体３１の底部に設けられた脚部７を備え、トイレスペースの一角等の平坦な床上に、脚部７を下側にして載置される。
【００３３】
容器本体３１は、ショアＡ硬度５０度以上９０度以下の軟質の材料製である。容器本体３１をショアＡ硬度５０度以上９０度以下の軟質の材料製とすることによって、後述する便器Ｖと接触させるにあたり適度な柔軟性を実現することができる。軟質の材料は、例えば、ポリ塩化ビニルに可塑剤を加えた軟質ＰＶＣ（polyvinyl chloride）等の熱可塑性樹脂である。可塑剤は、例えば、フタル酸系、アジピン酸系、リン酸系又はトリメリット酸系等であり、添加量に応じて熱可塑性樹脂の所望の硬度を実現することができる。ポリ塩化ビニルに可塑剤を添加するにあたり、添加量となる可塑剤の含有率は、３５％から５０％が好ましい。可塑剤の含有率を３５％から５０％とすることで、ショアＡ硬度５０度以上９０度以下となる軟質ＰＶＣを実現することができる。含有率とは、ポリ塩化ビニルに可塑剤を添加した軟質ＰＶＣの質量に対する可塑剤の質量の割合である。従って、含有率が５０％である場合、ポリ塩化ビニルと可塑剤との質量比率は、１：１となる。なお、軟質の材料は、熱可塑性樹脂に限定されず、天然ゴムであってもよい。容器本体３１のショアＡ硬度は、ＪＩＳ＿Ｋ６２５３に記載の方法によって、測定される。
【００３４】
容器本体３１の断面形状は、円形に限定されず、楕円形、長円形又は矩形、六角形等の多角形であってもよい。
【００３５】
容器本体３１の底部の外面には、略同径の円盤状の脚部７が、設けてある。脚部７は、容器本体３１を成形後、柔らかいうちに、容器本体３１の底部に別色の同じ原材料を注入することによって、一体成形される。二色同時に一体成型することで、生産性を向上することができる。また、脚部７は、容器本体３１とは別体として成形し、容器本体３１の底部の外面に固着してもよい。脚部７を別体として成形することで、脚部７の形状の自由度を向上することができる。固着は、接着剤による接着、及び高周波溶着、熱溶着又は超音波溶着等の溶着を含む。脚部７は、容器本体３１と同じ材料製である。脚部７は、肉厚にして重量を大きくしてあり、清掃用ブラシ収納容器３の重心が脚部７側、すなわち下方に偏るようにして、脚部７を下とし安定した載置が可能となる構造にしてある。
【００３６】
容器本体３１の開口側端部には、軸長方向に延びた舌片状のガイド片３２が、設けてある。ガイド片３２は、開口側端部の周方向における略半周に亘って、設けてある。
容器本体３１の開口近傍には、後述する保形リング４のボス部４２を挿通させるため、径方向に貫通した２つの孔が、対向して設けてある。
【００３７】
図６は、保形リングの平面図である。図７は、図６のＶＩＩ−ＶＩＩ線による側面図である。図８は、保形リングの斜視図である。清掃用ブラシ収納容器３は、保形リング４を備える。保形リング４は、Ｌ型の断面を有する円環形状をなす。保形リング４は、容器本体３１よりも硬質の材料製である。硬質の材料は、例えばポリプロピレン又はポリエチレン等のショアＤ硬度５０度以上の硬質の樹脂である。
【００３８】
保形リング４の一端側の内周面には、径方向内側に向かって突き出た幅広環状部が周設してある。保形リング４の外周面の一部には、軸長方向の全長に亘って切り欠かれた切り欠き部４１が設けてある。従って、保形リング４を容器本体３１の内側に篏合することによって、切り欠き部４１と容器本体３１の内周面との間には、隙間が形成される。
保形リングの外周面には、２つの短円筒状のボス部４２が対向して形成されている。ボス部４２には、後述する割りピン６を挿通させるための孔が設けてある。切り欠き部４１は、周方向において夫々のボス部４２の略中心の位置に設けてある。
【００３９】
なお、保形リング４の形状は、円環形状に限定されず、容器本体３１の軸方向の断面形状に応じて、決定される。従って、容器本体３１が有底矩形筒状の場合、容器本体３１の軸方向の断面形状は矩形であるため、保形リング４の形状も矩形環状となることは、言うまでもない。
【００４０】
図５に示す如く、ボス部４２を、容器本体３１の開口近傍に設けた孔に挿通させて、保形リング４は、容器本体３１の開口近傍の内側に篏合してある。
図４に示す如く、保形リング４の切り欠き部４１は、ガイド片３２に対応した位置となるようにしてある。すなわち、容器本体３１の周方向において、保形リング４の切り欠き部４１は、ガイド片３２を延設した開口側端部における周方向略中心に位置するように、保形リング４は、容器本体３１の開口近傍の内側に篏合してある。従って、保形リング４の切り欠き部４１から、容器本体３１の開口に向かった軸長方向の延長線上に、ガイド片３２の先端部が位置するようにしてある。
【００４１】
清掃用ブラシ収納容器３は、把手５を備えている。把手５は、容器本体３１の軸長の略２倍の長さの帯状をなし、両端部には、枢支用の割りピン６を挿通させるための貫通孔が設けてある。把手５は、例えば、エチレン酢酸ビニル共重合樹脂製であり、容器本体３１よりも軟質の材料製であることが好ましい。把手５の材料を容器本体３１よりも軟質の材料製とすることで、使用者が、持ちやすくすることができる。
【００４２】
図５に示す如く、把手５は、両端部に設けられている貫通孔夫々を、容器本体３１の孔夫々に位置合わせして、割りピン６を当該両端部の貫通孔及び容器本体３１の孔に篏合してある保形リングのボス部４２の孔に挿通してある。従って、把手５は、割りピン６を中心軸として、容器本体３１の径方向に回動自在となるように枢支される。
【００４３】
図１２は、清掃用ブラシ２の正面図である。清掃用ブラシ２は、丸棒状をなす柄２１及び柄２１の先端に設けられたブラシ体２３を備える。ブラシ体２３の毛は、例えばポリ塩化ビニリデン系繊維によって形成される。ポリ塩化ビニリデン系繊維をブラシ体２３の毛に用いることによって、ブラシ体２３の水切れを向上させることができる。また、ポリ塩化ビニリデン系繊維は、柔軟な素材であるため被清掃物を傷つけることを抑制することができる。
柄２１は、例えばポリプロピレン等の樹脂からなる。柄２１の軸長方向の中央部には、フランジ２２が設けてある。
【００４４】
図１及び図２に示す如く、清掃用ブラシ２は、ブラシ体２３を清掃用ブラシ収納容器３の容器本体３１の開口側に向け、ブラシ体２３を容器本体３１の筒部に差し込み、清掃用ブラシ収納容器３に収納される。
【００４５】
清掃用ブラシ２のフランジ２２の外径は、容器本体３１の開口側の内径よりも小さく、かつ容器本体３１の内側に篏合してある保形リング４の幅広環状部の内径よりも大きくしてある。従って、清掃用ブラシ２を容器本体３１の筒部に差し込んだ場合、清掃用ブラシ２のフランジ２２は、保形リング４の幅広環状部に当接し、清掃用ブラシ２は、当該幅広環状部によって支持される。
【００４６】
図３に示す如く、清掃用ブラシ２のフランジ２２からブラシ体２３の先端部までの軸長方向の長さＬ２は、容器本体３１における保形リング４の幅広環状部から底までの軸長方向の長さＬ１よりも短くしてある。従って、フランジ２２が保形リング４の幅広環状部に当接し、清掃用ブラシ２が支持された状態において、ブラシ体２３の先端は容器本体３１の底から離間した状態を維持して、清掃用ブラシ２は、清掃用ブラシ収納容器３に収納される。
【００４７】
図９は、清掃用ブラシ２を清掃用ブラシ収納容器３に収納する場合の説明図である。披清掃物としてトイレの便器Ｖを清掃する際、使用者は、トイレスペース等の一角に載置されている清掃用ブラシセット１を便器Ｖの側に運び、清掃用ブラシ２を清掃用ブラシ収納容器３から取り出して、清掃する。清掃用ブラシ２のブラシ体２３は、容器本体３１の底から離間して支持されているからブラシ体２３は乾いているため、トイレスペースの床面に水滴が垂れるおそれが少ない。または、清掃の終了時と同様に、清掃用ブラシセット１を便器Ｖ上で傾けて保持し、清掃用ブラシ２を取り出して使用してもよい。トイレスペースの床面に水滴が垂れることを、確実に防止することができる。
使用者は、清掃用ブラシ２を用いた清掃を終了した後、清掃用ブラシ２を清掃用ブラシ収納容器３に収納する。収納する際、使用者は、清掃用ブラシ収納容器３の把手５を持ち、容器本体３１の外周面を便器Ｖに接触させ、ガイド片３２を下側にして容器本体３１の開口が便器Ｖの内側に位置するように、把手５を便器Ｖの内側に引き込み、清掃用ブラシ収納容器３の位置を調整する。使用者は、清掃用ブラシ２を容器本体３１の開口から差し込み、清掃用ブラシ収納容器３に収納する。
【００４８】
清掃用ブラシ２のブラシ体２３には、水滴が付いているが、便器Ｖの内側に位置するガイド片３２を用いて、ブラシ体２３を容器本体３１の開口に案内することによって、水滴がトイレスペースの床面に垂れることを防止することができ、トイレを清潔に保つことができる。
【００４９】
また、容器本体３１の内部に水が溜まった場合、使用者は、清掃用ブラシ収納容器３の把手５を持ち、清掃用ブラシ２を抜いた状態で、ガイド片３２を下側にして容器本体３１の開口が便器Ｖの内側に位置するように、清掃用ブラシ収納容器３の位置を調整する。
更に、使用者は、容器本体３１を便器Ｖの内側に傾けることによって、容器本体３１の内部に溜まった水を、保形リング４の切り欠き部４１と容器本体３１の内周面との間に形成された隙間を通過させ、ガイド片３２上に導水し、ガイド片３２の舌片状の先端から、便器Ｖの内部へと排水することができる。保形リング４の切り欠き部４１は、保形リング４の周方向において、夫々のボス部４２の略中心に設けられている。また、夫々のボス部４２には、割りピン６を挿通して把手５を枢支してあるので、把手５を持って容器本体３１を傾けることによって、確実にガイド片を便器Ｖに向けることができ、容器本体３１の内部に溜まった水を、便器Ｖの中に確実に排水することができる。
【００５０】
便器Ｖは、陶器又は硬質の樹脂によって成形されている。清掃用ブラシ収納容器３の容器本体３１及び脚部７は、軟質ＰＶＣ又は天然ゴム等の軟質の材料によって成形してある。軟質ＰＶＣ又は天然ゴム等の軟質の材料は、便器Ｖとの接触部での滑りが生じにくく、図９に示す如く、容器本体３１の姿勢を安定して維持できる。なお、被清掃体は、トイレの便器Ｖに限定されず、例えば風呂桶、バスユニット等であってもよい。
【００５１】
容器本体３１は軟質の材料によって成形してあるが、容器本体３１の開口近傍の内側には、容器本体３１よりも硬質の材料によって成形した保形リング４が篏合してある。従って、容器本体３１の開口の形状を保形することができ、清掃用ブラシ２を容器本体３１の開口に差し込む際に支障がなく、使用者の使い勝手を向上させることができる。
【００５２】
今回開示された実施形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【００５３】
以上の実施の形態に関し、更に以下の付記を開示する。図１０は、清掃用ブラシ収納容器の正面図である。図１１は、清掃用ブラシ収納容器の背面図である。図１２は、清掃用ブラシ収納容器の平面図である。図１３は、清掃用ブラシ収納容器の底面図である。図１４は、清掃用ブラシ収納容器の右側面図である。図１５は、清掃用ブラシ収納容器の左側面図である。図１６は、清掃用ブラシ収納容器の図１２のＡ−Ａ’端面図である。図１７は、清掃用ブラシ収納容器の図１２のＢ−Ｂ’端面図である。なお、図１０から図１７で示す清掃用ブラシ収納容器において、破線で記載されている部位の形態は、他の形態とすることが可能である。
【符号の説明】
【００５４】
１  清掃用ブラシセット
２  清掃用ブラシ
２１  柄
２２  フランジ
２３  ブラシ体
３  清掃用ブラシ収納容器
３１  容器本体
３２  ガイド片
４  保形リング
４１  切り欠き部
４２  ボス部
５  把手
６  割りピン
７  脚部
Ｖ  便器
【図１】
2019010177.tif 000003
【図２】
2019010177.tif 000004
【図３】
2019010177.tif 000005
【図４】
2019010177.tif 000006
【図５】
2019010177.tif 000007
【図６】
2019010177.tif 000008
【図７】
2019010177.tif 000009
【図８】
2019010177.tif 000010
【図９】
2019010177.tif 000011
【図１０】
2019010177.tif 000012
【図１１】
2019010177.tif 000013
【図１２】
2019010177.tif 000014
【図１３】
2019010177.tif 000015
【図１４】
2019010177.tif 000016
【図１５】
2019010177.tif 000017
【図１６】
2019010177.tif 000018
【図１７】
2019010177.tif 000019